(57)【特許請求の範囲】
【請求項１】
フレームメモリに展開された画像データをビデオ信号に変換して表示部へ出力するビデオ信号出力装置において、
前記ビデオ信号に変換する際に、変換するビデオ信号の方式に対応して前記画像データを変倍する変倍手段と、
前記変倍手段による前記画像データに対する変倍処理を実行するか否かを制御する制御手段と、
を備え、
前記表示部がＰＡＬ方式のビデオ信号に対して所定位置の垂直ラインのデータを削除する変倍処理を行って画像データを表示するＮＴＳＣ版の表示部である場合、前記変倍手段は、前記表示部により削除される垂直ラインと同じ位置にデータを追加することによってＰＡＬ方式に対応した垂直方向の変倍処理を行うことを特徴とするビデオ信号出力装置。
【請求項２】
前記フレームメモリは、水平方向６４０×垂直方向４８０の画素数を有し、前記変倍手段は、前記画像データをＮＴＳＣ方式のビデオ信号に変換する際は、水平方向９／８倍の変倍処理をおこない、前記画像データをＰＡＬ方式のビデオ信号に変換する際は、水平方向９／８倍および垂直方向６／５倍の変倍処理をおこなうことを特徴とする請求項１に記載のビデオ信号出力装置。
【請求項３】
前記制御手段は、前記画像データの内容が自然画像である場合には、該画像データに対する変倍処理を実行するよう制御し、前記画像データの内容がグラフィック画像である場合には、該画像データに対する変倍処理を実行しないよう制御することを特徴とする請求項１または２に記載のビデオ信号出力装置。
【請求項４】
前記制御手段は、前記表示部が自然画像の上にグラフィック画像を重ねて表示する場合には、前記自然画像の画像データに対する変倍処理を実行するよう制御するとともに、前記グラフィック画像の画像データに対する変倍処理を実行しないよう制御することを特徴とする請求項１〜３のいずれか一つに記載のビデオ信号出力装置。
【請求項５】
前記制御手段は、前記フレームメモリに展開された画像データの画素数が前記表示部の表示領域の画素数と等しい場合には、該画像データに対する前記変倍処理を実行しないよう制御することを特徴とする請求項１または２に記載のビデオ信号出力装置。
【請求項６】
画像データの画素数が前記表示部の表示領域の画素数と等しい画像データを記憶し、該記憶した画像データを前記フレームメモリに展開する記憶手段をさらに備えたことを特徴とする請求項５に記載のビデオ信号出力装置。
【請求項７】
画像データの画素数が前記表示部の表示領域の画素数と等しくなるように画像データを入力し、該入力した画像データを前記フレームメモリに展開する入力手段をさらに備えたことを特徴とする請求項５に記載のビデオ信号出力装置。
【請求項８】
前記変倍手段による変倍処理を実行するか否かを選択する選択手段をさらに備え、前記制御手段は、前記選択手段によって変倍処理を実行しないことが選択された場合には、前記画像データをＰＡＬ方式のビデオ信号に変換するに際して水平方向９／８倍および垂直方向６／５倍の変倍処理を実行しないよう制御することを特徴とする請求項２に記載のビデオ信号出力装置。
【請求項９】
フレームメモリに展開された画像データをビデオ信号に変換して表示部へ出力するビデオ信号出力方法において、
前記ビデオ信号に変換する際に、変換するビデオ信号の方式に対応して前記画像データを変倍する変倍工程と、
前記変倍工程による前記画像データに対する変倍処理を実行するか否かを制御する制御工程と、
を含み、
前記表示部がＰＡＬ方式のビデオ信号に対して所定位置の垂直ラインのデータを削除する変倍処理を行って画像データを表示するＮＴＳＣ版の表示部である場合、前記変倍工程は、前記表示部により削除される垂直ラインと同じ位置にデータを追加することによってＰＡＬ方式に対応した垂直方向の変倍処理を行うことを特徴とするビデオ信号出力方法。
【請求項１０】
前記フレームメモリは、水平方向６４０×垂直方向４８０の画素数を有し、前記変倍工程は、前記画像データをＮＴＳＣ方式のビデオ信号に変換する際は、水平方向９／８倍の変倍処理をおこない、前記画像データをＰＡＬ方式のビデオ信号に変換する際は、水平方向９／８倍および垂直方向６／５倍の変倍処理をおこなうことを特徴とする請求項９に記載のビデオ信号出力方法。
【請求項１１】
前記制御工程は、前記画像データの内容が自然画像である場合には、該画像データに対する変倍処理を実行するよう制御し、前記画像データの内容がグラフィック画像である場合には、該画像データに対する変倍処理を実行しないよう制御することを特徴とする請求項９または１０に記載のビデオ信号出力方法。
【請求項１２】
前記制御工程は、前記表示部が自然画像の上にグラフィック画像を重ねて表示する場合には、前記自然画像の画像データに対する変倍処理を実行するよう制御するとともに、前記グラフィック画像の画像データに対する変倍処理を実行しないよう制御することを特徴とする請求項９〜１１のいずれか一つに記載のビデオ信号出力方法。
【請求項１３】
前記制御工程は、前記フレームメモリに展開された画像データの画素数が前記表示部の表示領域の画素数と等しい場合には、該画像データに対する前記変倍処理を実行しないよう制御することを特徴とする請求項９または１０に記載のビデオ信号出力方法。
【請求項１４】
画像データの画素数が前記表示部の表示領域の画素数と等しい画像データを記憶し、該記憶した画像データを前記フレームメモリに展開する記憶工程をさらに含んだことを特徴とする請求項１３に記載のビデオ信号出力方法。
【請求項１５】
画像データの画素数が前記表示部の表示領域の画素数と等しくなるように画像データを入力し、該入力した画像データを前記フレームメモリに展開する入力工程をさらに含んだことを特徴とする請求項１３に記載のビデオ信号出力方法。
【請求項１６】
前記変倍工程による変倍処理を実行するか否かを選択する選択工程をさらに含み、前記制御工程は、前記選択工程によって変倍処理を実行しないことが選択された場合には、前記画像データをＰＡＬ方式のビデオ信号に変換するに際して水平方向９／８倍および垂直方向６／５倍の変倍処理を実行しないよう制御することを特徴とする請求項１０に記載のビデオ信号出力方法。
【請求項１７】
前記請求項９〜１６のいずれか一つに記載された方法をコンピュータに実行させるプログラムを記録したことを特徴とするコンピュータ読み取り可能な記録媒体。
【発明の詳細な説明】
【０００１】
【発明の属する技術分野】
この発明は、フレームメモリに展開された画像データをビデオ信号に変換して表示部へ出力するビデオ信号出力装置、ビデオ信号出力方法およびその方法をコンピュータに実行させるプログラムを記録したコンピュータ読み取り可能な記録媒体に関し、特に、表示画像の画質を改善することができるビデオ信号出力装置、ビデオ信号出力方法および記録媒体に関する。
【０００２】
【従来の技術】
従来、フレームメモリに展開された画像データをディスプレイに出力する際のビデオ信号化方式には、大きく分けてＮＴＳＣ方式やＰＡＬ方式があるが、最近では、同じハードウェア構成で両方式に対応することができる「ＣＣＩＲ  ＲＥＣ６０１（以下、「ＲＥＣ６０１」という。）」と呼ばれるビデオ信号規格が普及してきている。
【０００３】
ここで、ＲＥＣ６０１に準拠したビデオ信号出力装置について図３〜図６を参照して説明する。図３は、ＲＥＣ６０１に準拠したビデオ信号出力装置を用いたデジタルカメラの構成を示すブロック図であり、図４は、ＮＴＳＣ方式およびＰＡＬ方式の規格を説明するための図であり、図５は、ＮＴＳＣ方式におけるビデオ信号タイミングの概念を示す図であり、図６は、ＰＡＬ方式におけるビデオ信号タイミングの概念を示す図である。
【０００４】
図３に示すように、デジタルカメラ３０は、水平方向６４０×垂直方向４８０の画素数を有するフレームメモリ３５に展開された画像データをビデオ信号に対応したタイミングで読み出し、しかるべき制御信号を付加してビデオ信号を出力するビデオ信号出力部３６を備える。また、このビデオ信号出力部３６は、ＲＥＣ６０１に準拠したビデオ信号出力装置として、フレームメモリ３５に展開された画像データに対してＮＴＳＣ方式またはＰＡＬ方式に対応した変倍処理をおこなう変倍処理部３７を備えて構成される。
【０００５】
なお、フレームメモリ３５に展開される画像データは、ＣＣＤ３１によって入力した画像データ、通信部３２によって受信した画像データ、および画像データ記憶部３３によって記憶された画像データであり、画像処理部３４において所定の画像処理がおこなわれた後に、フレームメモリ３５に展開される。また、ビデオ信号出力部３６から出力されるビデオ信号は、Ｉ／Ｆ部３８および表示制御部３９を通じてＬＣＤ（液晶ディスプレイ）などの表示部４０にて表示される他、ビデオ信号ＯＵＴにより外部表示装置にて表示される。
【０００６】
次に、上記の変倍処理部３７における変倍処理について説明する。ＲＥＣ６０１においては、水平走査と垂直走査によってデジタル的に規定される１画素は、正方形になっていない。これは、同じハードウェア構成および同じ駆動周波数によって、図４に示すＮＴＳＣ方式およびＰＡＬ方式の規格に対応できるようにするために、両方式において正方形画素になる中間的な周波数（１３．５ＭＨｚ）を規定しているからである。
【０００７】
このため、ＰＡＬ方式においては、フレームメモリ３５の垂直方向４８０ラインを有効表示走査線数５７６ラインに変倍するとともに、水平方向６４０ラインを有効表示クロック数７２０クロックに変倍する必要がある。すなわち、ＰＡＬ方式のビデオ信号に変換する際には、変倍処理部３７において、水平方向９／８倍および垂直方向６／５倍の変倍処理がおこなわれる。また、ＮＴＳＣ方式においては、水平方向６４０ラインを有効表示クロック数７２０クロックに変倍する必要がある。すなわち、ＮＴＳＣ方式のビデオ信号に変換する際には、変倍処理部３７において、水平方向９／８倍の変倍処理がおこなわれる。
【０００８】
このように、ＲＥＣ６０１においては、常に水平方向９／８倍の変倍処理がおこなわれている。官能的には、およそ３〜５％程度以上の変形は認識されてしまうため、９／８倍の変倍処理は必須の措置である。すなわち、９／８倍の変倍処理をおこなわないこととした場合には、８８．９％の縮小変形で表示されるため、十分に変形と認識されてしまう。
【０００９】
変倍処理をおこなう場合、９／８倍の変倍処理は８画素を９画素に増加させる処理であるため、８画素に関してフィルタリング処理を施しつつ９画素目を生成する補間変倍処理をおこなうことになる。ここで、ＣＣＤ３１によって撮影された画像データなどの自然画像については、もともと滑らかな色の変化を有する画像であるため、補間変倍処理をおこなって表示しても、解像度は減少するが、見た目の違和感はほとんどない。
【００１０】
次に、ビデオ信号出力部３６が、ＯＤＤ／ＥＶＥＮフィールドを時分割で重ね書きして表示する表示部４０へビデオ信号を出力する場合について図７を参照して説明する。図７は、時分割で重ね書きして表示する際のラインの概念を示す図である。
【００１１】
図７に示すように、ＣＣＤ３１は、水平方向３２０×垂直方向２４０の解像度により画像データを入力し、画像処理部３４は、画像データを縦横２倍（水平方向６４０×垂直方向４８０の解像度）に変倍して展開し、表示部４０は、ＯＤＤ／ＥＶＥＮフィールドを時分割で重ね書きすることによって、画像データを水平方向３２０×垂直方向２４０の解像度により表示する。
【００１２】
このようにＣＣＤ３１が水平方向３２０×垂直方向２４０の解像度により画像データを入力するのは、モニタリングモードでは転送負荷を少なくしてリアルタイムで表示させる必要があるからである。また、表示部４０がＯＤＤ／ＥＶＥＮフィールドを時分割で重ね書きするのは、モニタリングモードに用いられる約５インチ以下のＬＣＤ（表示部４０）の解像能力が水平方向３２０×垂直方向２４０程度であるからである。
【００１３】
【発明が解決しようとする課題】
しかしながら、上記の従来技術は、以下に述べるように表示画像の画質に関して種々の問題点があった。
【００１４】
第１の問題点として、グラフィック画像を表示する場合に、ボケて表示させてしまうという問題点があった。すなわち、上記の従来技術においては、Ｅ−ｍａｉｌ、ＷＥＢブラウザ、設定画面、撮影モード文字、時刻、撮影番号など、純粋にデータで作成されたグラフィック画像についても常に変倍処理がおこなわれるため、これらのグラフィック画像は、フィルタリングによってボケて表示されてしまうこととなる。
【００１５】
第２の問題点として、ＰＡＬ方式のビデオ信号によってＮＴＳＣ版の表示部４０に自然画像を表示した場合に、画質を劣化させてしまうという問題点があった。すなわち、表示部４０は、市場要求などからＮＴＳＣ版の画素配置（垂直方向４８０ラインをプログレッシブ表示するため、半分の２４０ラインの９０％程度のライン）を有するものが大部分であるため、２８８ラインを要するＰＡＬ方式のビデオ信号にとっては、絶対的にライン数が足りない。このため、上記の従来技術においては、ＰＡＬ方式のビデオ信号によってＮＴＳＣ版の表示部４０に自然画像を表示する場合、表示部４０において素直方向５／６倍の変倍処理をおこなっているが、変倍処理部３７による変倍処理は、表示部４０による変倍処理を意識しておこなわれるものではないため、再度の変倍処理によって画質を劣化させてしまうこととなる。
【００１６】
第３の問題点として、画像データ記憶部３３に記憶された画像データなどを表示する場合に、短時間で表示部４０に表示することが困難であるという問題点があった。すなわち、近年の高画素デジタルカメラなどでは、ＣＣＤ３１から入力する画像データは、ビデオ信号規格に必要な画素数（水平方向６４０×垂直方向４８０）を大きく上回っている。たとえば、１２８０×９６０画素、１６００×１２００画素などといった画素数の画像データが、撮影主画像として画像データ記憶部３３に記憶される。一方、画像データをデータとして利用するのではなく、本体の表示部４０やビデオ信号ＯＵＴにより外部表示装置で表示する場合には、水平方向６４０×垂直方向４８０程度の解像度で十分である。このため、上記従来技術においては、撮影主画像の画像データを画像処理部３４において縮小変倍してフレームメモリ３５に展開し、展開された画像データに対し変倍処理部３７において常に変倍処理をおこなっているため、短時間で画像データを表示することが困難になってしまうこととなる。
【００１７】
第４の問題点として、表示部４０に表示された画像からはフレーミングを確認することが困難であるという問題点があった。すなわち、表示部４０は、非有効範囲が表示されないようにとの配慮から、上記の有効表示範囲の９０％程度しか表示しないのが実状である。しかしながら、上記の従来技術においては、表示部４０の走査線数に合わせて、変倍処理部３７が常に変倍処理がおこなっているため、実際には、フレームメモリに展開された画像データの全てを表示することができない。このため、撮影した画像データやモニタリング時の画像などを１００％で表示することができず、フレーミングを確認することが困難になってしまうこととなる。
【００１８】
第５の問題点として、ＯＤＤ／ＥＶＥＮフィールドを時分割で重ね書きする場合に、適切に重ね書きがおこなわれないおそれがあるという問題点があった。すなわち、画像データを縦横２倍に変倍してペアとしてフレームメモリ３５に展開した場合、これらのペアが表示部４０上で再度ペアとして時分割で重ね書きされる必要があるが、表示部４０の仕様により１ラインずれてしまことがあり、このような場合には適切な重ね書きがおこなわれないこととなる。
【００１９】
そこで、この発明は、上述した従来技術による問題点を解決するため、表示画像の画質を改善することができるビデオ信号出力装置、ビデオ信号出力方法およびその方法をコンピュータに実行させるプログラムを記録したコンピュータ読み取り可能な記録媒体を提供することを目的とする。
【００２０】
【課題を解決するための手段】
上述した課題を解決し、目的を達成するため、請求項１の発明に係るビデオ信号出力装置は、フレームメモリに展開された画像データをビデオ信号に変換して表示部へ出力するビデオ信号出力装置において、前記ビデオ信号に変換する際に、変換するビデオ信号の方式に対応して前記画像データを変倍する変倍手段と、前記変倍手段による前記画像データに対する変倍処理を実行するか否かを制御する制御手段と、を備え、前記表示部がＰＡＬ方式のビデオ信号に対して所定位置の垂直ラインのデータを削除する変倍処理を行って画像データを表示するＮＴＳＣ版の表示部である場合、前記変倍手段は、前記表示部により削除される垂直ラインと同じ位置にデータを追加することによってＰＡＬ方式に対応した垂直方向の変倍処理を行うことを特徴とする。
【００２１】
また、請求項２の発明に係るビデオ信号出力装置は、請求項１に記載の発明において、前記フレームメモリは、水平方向６４０×垂直方向４８０の画素数を有し、前記変倍手段は、前記画像データをＮＴＳＣ方式のビデオ信号に変換する際は、水平方向９／８倍の変倍処理をおこない、前記画像データをＰＡＬ方式のビデオ信号に変換する際は、水平方向９／８倍および垂直方向６／５倍の変倍処理をおこなうことを特徴とする。
【００２４】
また、請求項３の発明に係るビデオ信号出力装置は、請求項１または２に記載の発明において、前記制御手段は、前記画像データの内容が自然画像である場合には、該画像データに対する変倍処理を実行するよう制御し、前記画像データの内容がグラフィック画像である場合には、該画像データに対する変倍処理を実行しないよう制御することを特徴とする。
【００２５】
また、請求項４の発明に係るビデオ信号出力装置は、請求項１〜３のいずれか一つに記載の発明において、前記制御手段は、前記表示部が自然画像の上にグラフィック画像を重ねて表示する場合には、前記自然画像の画像データに対する変倍処理を実行するよう制御するとともに、前記グラフィック画像の画像データに対する変倍処理を実行しないよう制御することを特徴とする。
【００２６】
また、請求項５の発明に係るビデオ信号出力装置は、請求項１または２に記載の発明において、前記制御手段は、前記フレームメモリに展開された画像データの画素数が前記表示部の表示領域の画素数と等しい場合には、該画像データに対する前記変倍処理を実行しないよう制御することを特徴とする。
【００２７】
また、請求項６の発明に係るビデオ信号出力装置は、請求項５に記載の発明において、画像データの画素数が前記表示部の表示領域の画素数と等しい画像データを記憶し、該記憶した画像データを前記フレームメモリに展開する記憶手段をさらに備えたことを特徴とする。
【００２８】
また、請求項７の発明に係るビデオ信号出力装置は、請求項５に記載の発明において、画像データの画素数が前記表示部の表示領域の画素数と等しくなるように画像データを入力し、該入力した画像データを前記フレームメモリに展開する入力手段をさらに備えたことを特徴とする。
【００２９】
また、請求項８の発明に係るビデオ信号出力装置は、請求項２に記載の発明において、前記変倍手段による変倍処理を実行するか否かを選択する選択手段をさらに備え、前記制御手段は、前記選択手段によって変倍処理を実行しないことが選択された場合には、前記画像データをＰＡＬ方式のビデオ信号に変換するに際して水平方向９／８倍および垂直方向６／５倍の変倍処理を実行しないよう制御することを特徴とする。
【００３３】
また、請求項９の発明に係るビデオ信号出力方法は、フレームメモリに展開された画像データをビデオ信号に変換して表示部へ出力するビデオ信号出力方法において、前記ビデオ信号に変換する際に、変換するビデオ信号の方式に対応して前記画像データを変倍する変倍工程と、前記変倍工程による前記画像データに対する変倍処理を実行するか否かを制御する制御工程と、を含み、前記表示部がＰＡＬ方式のビデオ信号に対して所定位置の垂直ラインのデータを削除する変倍処理を行って画像データを表示するＮＴＳＣ版の表示部である場合、前記変倍工程は、前記表示部により削除される垂直ラインと同じ位置にデータを追加することによってＰＡＬ方式に対応した垂直方向の変倍処理を行うことを特徴とする。
【００３４】
また、請求項１０の発明に係るビデオ信号出力方法は、請求項９に記載の発明において、前記フレームメモリは、水平方向６４０×垂直方向４８０の画素数を有し、前記変倍工程は、前記画像データをＮＴＳＣ方式のビデオ信号に変換する際は、水平方向９／８倍の変倍処理をおこない、前記画像データをＰＡＬ方式のビデオ信号に変換する際は、水平方向９／８倍および垂直方向６／５倍の変倍処理をおこなうことを特徴とする。
【００３７】
また、請求項１１の発明に係るビデオ信号出力方法は、請求項９または１０に記載の発明において、前記制御工程は、前記画像データの内容が自然画像である場合には、該画像データに対する変倍処理を実行するよう制御し、前記画像データの内容がグラフィック画像である場合には、該画像データに対する変倍処理を実行しないよう制御することを特徴とする。
【００３８】
また、請求項１２の発明に係るビデオ信号出力方法は、請求項９〜１１のいずれか一つに記載の発明において、前記制御工程は、前記表示部が自然画像の上にグラフィック画像を重ねて表示する場合には、前記自然画像の画像データに対する変倍処理を実行するよう制御するとともに、前記グラフィック画像の画像データに対する変倍処理を実行しないよう制御することを特徴とする。
【００３９】
また、請求項１３の発明に係るビデオ信号出力方法は、請求項９または１０に記載の発明において、前記制御工程は、前記フレームメモリに展開された画像データの画素数が前記表示部の表示領域の画素数と等しい場合には、該画像データに対する前記変倍処理を実行しないよう制御することを特徴とする。
【００４０】
また、請求項１４の発明に係るビデオ信号出力方法は、請求項１３に記載の発明において、画像データの画素数が前記表示部の表示領域の画素数と等しい画像データを記憶し、該記憶した画像データを前記フレームメモリに展開する記憶工程をさらに含んだことを特徴とする。
【００４１】
また、請求項１５の発明に係るビデオ信号出力方法は、請求項１３に記載の発明において、画像データの画素数が前記表示部の表示領域の画素数と等しくなるように画像データを入力し、該入力した画像データを前記フレームメモリに展開する入力工程をさらに含んだことを特徴とする。
【００４２】
また、請求項１６の発明に係るビデオ信号出力方法は、請求項１０に記載の発明において、前記変倍工程による変倍処理を実行するか否かを選択する選択工程をさらに含み、前記制御工程は、前記選択工程によって変倍処理を実行しないことが選択された場合には、前記画像データをＰＡＬ方式のビデオ信号に変換するに際して水平方向９／８倍および垂直方向６／５倍の変倍処理を実行しないよう制御することを特徴とする。
【００４６】
また、請求項１７の発明に係る記録媒体は、請求項９〜１６のいずれか一つに記載された方法をコンピュータに実行させるプログラムを記録したことで、そのプログラムを機械読み取り可能となり、これによって、請求項９〜１６のいずれか一つの動作をコンピュータによって実行することができる。
【００４７】
【発明の実施の形態】
以下に添付図面を参照して、この発明に係るビデオ信号出力装置、ビデオ信号出力方法、およびその方法をコンピュータに実行させるプログラムを記録したコンピュータ読み取り可能な記録媒体の好適な実施の形態を詳細に説明する。
【００４８】
なお、下記に示す実施の形態では、本発明をデジタルカメラに適用した場合を示すこととするが、本発明はこれに限定されるものではなく、フレームメモリに展開された画像データをビデオ信号に変換して表示部へ出力するビデオ信号出力装置を用いた、あらゆるビデオ装置に適用することができる。また、本実施の形態では、本発明をＲＥＣ６０１に準拠したビデオ信号出力装置に適用した場合を示すこととするが、本発明はこれに限定されるものではなく、ビデオ信号に変換する際に画像データを変倍する、あらゆるビデオ信号出力装置に適用することができる。
【００４９】
以下に示す実施の形態１では、ビデオ信号に変換して出力する際に画像データを変倍するか否かを制御する場合について説明し、また実施の形態２では、ビデオ信号に変換して出力する際にフレームメモリの第１ラインまたは第２ラインのいずれから順次出力するかを選択する場合について説明することとする。
【００５０】
（実施の形態１）
まず最初に、本実施の形態１に係るデジタルカメラの構成について説明する。図１は、本実施の形態１に係るデジタルカメラの構成を示すブロック図である。同図に示すように、本実施の形態１に係るデジタルカメラ１０は、ＣＣＤ１１と、通信部１２と、画像データ記憶部１３と、画像処理部１４と、フレームメモリ１５と、ビデオ信号出力部１６と、変倍処理部１７と、Ｉ／Ｆ部１８と、表示制御部１９と、表示部２０と、操作部２１と、制御部２２と、を備えて構成される。以下、各部の処理について説明する。
【００５１】
ＣＣＤ１１は、被写体を電気信号に変換して自然画像を入力するものである。このＣＣＤ１１は、ＣＣＤ制御部（図示せず）の制御によって、異なる解像度で画像データを入力することができる。たとえば、撮影主画像を記録する場合には、高い解像度（たとえば、水平方向１２８０×垂直方向９６０、水平方向１６００×垂直方向１２００など）で入力し、また、モニタリングモードで画像を表示する場合や撮影主画像のサムネイル画像を作成して記録する場合には、低い解像度（たとえば、水平方向６４０×垂直方向４８０など）で入力する。
【００５２】
さらに、ＣＣＤ１１は、モニタリングモードで画像を表示する場合や撮影主画像のサムネイル画像を作成して記録する場合に、画像データの画素数が表示部２０の表示領域の画素数と等しくなるように画像データを入力することもできる。すなわち、予め変倍処理部１７による変倍処理をおこなったものとして画像データを入力する。これにより、変倍処理部１７による変倍処理を不要として、素早く画像表示をおこなうことができる。
【００５３】
通信部１２は、外部端末との間で画像データの送受信をおこなうものである。すなわち、ＰＤＡ（Ｐｅｒｓｏｎａｌ  ｄｉｇｉｔａｌ  ａｓｓｉｓｔａｎｔｓ）と同様、Ｅ−ｍａｉｌやＷＥＢブラウザなどの、純粋にデータで作成されたグラフィック画像のデータを送受信する。
【００５４】
画像データ記憶部１３は、画像データを記憶するものである。具体的には、ＣＣＤ１１から入力された撮影主画像やサムネイル画像、通信部１２によって受信されたグラフィック画像、さらには、画像データの画素数が表示部４０の走査線数と等しくなるようにＣＣＤ１１によって入力されたサムネイル画像や画像処理部１４によって作成された画像データなどを記憶する。なお、画像データ記憶部１３は、それぞれの画像データについて、自然画像またはグラフィック画像のいずれであるか、あらかじめ変倍されているか、などの情報を付加して記憶することができる。
【００５５】
画像処理部１４は、フレームメモリ１５に展開する画像データや画像データ記憶部１３に記憶する画像データに対して、各種の画像処理をおこなうものである。たとえば、フレームメモリ１５の解像度（水平方向６４０×垂直方向４８０）に合うように画像データを拡大または縮小したり、撮影主画像のサムネイル画像を作成したり、自然画像の上に重ねて表示する撮影モード、時刻、撮影番号などのグラフィック画像のＯＳＤ（Ｏｎ  ｓｃｒｅｅｎ  ｄｉｓｐｌａｙ）を作成したりなどをおこなう。
【００５６】
フレームメモリ１５は、画像データを展開するメモリであり、本実施の形態１では、水平方向６４０×垂直方向４８０の画素数を有する。なお、自然画像の上にグラフィック画像を重ねて表示するような場合には、自然画像用のフレームメモリとグラフィック画像用のフレームメモリとを別々に備えることもできる。また、表示部２０の表示領域の画素数と等しい画素数のフレームメモリを予め備え、変倍処理部１７による変倍処理がおこなわれない画像データについては、表示部２０に１００％で表示させることもできる。
【００５７】
ビデオ信号出力部１６は、フレームメモリ１５に展開された画像データをビデオ信号に対応したタイミングで読み出し、しかるべき制御信号を付加してビデオ信号を出力するものである。なお、ビデオ信号出力部１６は、画像データをフレームメモリ１５の第１ラインから順次出力する。
【００５８】
変倍処理部１７は、ビデオ信号出力部１６が画像データをビデオ信号に変換する際に、フレームメモリ１５の画素数と表示部２０の表示領域の画素数とが等しくなるように画像データを変倍するものである。具体的には、ＲＥＣ６０１に準拠して、ＮＴＳＣモードのビデオ信号に変換する際は、水平方向９／８倍の変倍処理をおこない、ＰＡＬモードのビデオ信号に変換する際は、水平方向９／８倍および垂直方向６／５倍の変倍処理をおこなう。
【００５９】
また、変倍処理部１７は、通常のモードにおいては、画像データに対してフィルタリング処理をおこなって変倍処理をおこなう。また、表示部２０がＰＡＬモードのビデオ信号に対して所定位置の垂直ラインのデータを削除する垂直方向５／６倍の変倍処理をおこなって画像データを表示する場合（ＰＡＬ方式のビデオ信号をＮＴＳＣ版の表示部に画像を表示させる場合）には、表示部２０で削除される垂直ラインと同じ位置にデータを追加することによって垂直方向６／５倍の変倍処理をおこなう。
【００６０】
このような変倍処理によって、追加されるラインと削除されるラインが同一ラインとなるため、フレームメモリ１５に展開された画像データと表示部２０に表示される画像とが実質的に同一のものとなり、ＰＡＬ方式のビデオ信号をＮＴＳＣ版の表示部に画像を表示させる場合でも、画質の劣化を少なくして表示させることができる。
【００６１】
Ｉ／Ｆ部１８は、ビデオ信号出力部１７から出力されるビデオ信号を本体の表示部２０や外部表示装置へ出力するインタフェースである。表示制御部１９は、表示部２０を制御し、表示部２０は、ビデオ信号出力部１７から出力されるビデオ信号を表示する。
【００６２】
操作部２１は、デジタルカメラ１０の動作を指示する操作パネルである。たとえば、ＣＣＤ１１による画像データの入力、通信部１２による画像データの送受信、画像データ記憶部１３による画像データの記憶、モニタリングモードなどモード切替などを指示する。また、変倍処理部１７による変倍処理を実行するか否か（ＰＡＬモードのビデオ信号に変換するに際して水平方向９／８倍および垂直方向６／５倍の変倍処理を実行しないこと）の選択指示もおこなうことができる。
【００６３】
制御部２２は、フレームメモリ１５に展開された画像データの内容や操作部２１からの指示に基づいて、変倍処理部１７による画像データに対する変倍処理を実行するか否かを制御する。具体的には、画像データの内容が自然画像である場合には変倍処理を実行するよう制御し、画像データの内容がグラフィック画像である場合には変倍処理を実行しないよう制御する。これによって、自然画像については変形を防いで違和感なく表示させ、グラフィック画像についてはボケを防いで表示させることができる。
【００６４】
また、制御部２２は、表示部２０が自然画像の上にグラフィック画像を重ねて表示する場合には、自然画像の画像データに対する変倍処理を実行するよう制御するとともに、グラフィック画像の画像データに対する変倍処理を実行しないよう制御する。これによって、自然画像およびグラフィック画像を違和感なくボケを防いで同時に表示させることができる。
【００６５】
また、制御部２２は、フレームメモリ１５に展開された画像データの画素数が表示部２０の表示領域の画素数と等しい場合には変倍処理を実行しないよう制御する。たとえば、予め変倍処理されているサムネイル画像がフレームメモリ１５に展開された場合や、モニタリングに際して予め変倍処理されてＣＣＤ１１から入力された画像データがフレームメモリ１５に展開された場合である。これによって、サムネイル画像やモニタリング時の画像について、画像の変形を防ぎつつ素早い表示速度で表示させることができる。
【００６６】
また、制御部２２は、操作部２１によって変倍処理を実行しないことが選択された場合には、ＰＡＬモードのビデオ信号に変換するに際して水平方向９／８倍および垂直方向６／５倍の変倍処理を実行しないよう制御する。これによって、フレームメモリに展開された画像データを１００％表示（７２０×５７６の走査線中に６４０×４８０の画素数で表示）させることができる。なお、この場合には、表示画像は変形して表示されてしまうが、撮影画像のフレーミングを確認したい場合などには有効であり、また、特殊なビデオ信号規格を用いるわけではないので、一般的なシステムで簡単に実現することができる。
【００６７】
（実施の形態２）
本実施の形態２では、ビデオ信号に変換して出力する際にフレームメモリの第１ラインまたは第２ラインのいずれから順次出力するかを選択する場合について説明する。なお、本実施の形態２に係るデジタルカメラの構成は図１に示すものと同様のものとなるので、ここではその詳細な説明を省略する。
【００６８】
本実施の形態２における操作部２１は、フレームメモリ１５に展開された画像データをフレームメモリ１５の第１ラインまたは第２ラインのいずれから順次出力するかを選択して指示する。制御部２２は、第１ラインまたは第２ラインのいずれかの指示を受け取って、その指示をビデオ信号出力部１６に受け渡す。
【００６９】
ビデオ信号出力部１６は、第１ラインの指示を受け取った場合には、フレームメモリ１５に展開された画像データをフレームメモリ１５の第１ラインから順次出力し、第２ラインの指示を受け取った場合には、フレームメモリ１５の第２ラインから順次出力する。
【００７０】
表示部２０は、ビデオ信号出力部１６から出力された連続する２ライン分のデータを時分割で重ね書きして表示する。すなわち、ＯＤＤ／ＥＶＥＮフィールドを時分割で重ね書きして表示する。
【００７１】
ここで、第２ラインから出力する場合において時分割で重ね書きして表示する際のラインの概念を図２を用いて説明する。なお、第１ラインから出力する場合において時分割で重ね書きして表示する際のラインの概念については図７で示すものと同様になるので、ここではその詳細な説明を省略する。
【００７２】
図２は、第２ラインから出力する場合において時分割で重ね書きして表示する際のラインの概念を示す図である。同図に示すように、ＣＣＤ１１は、水平方向３２０×垂直方向２４０の解像度により画像データを入力し、画像処理部１４は、画像データを縦横２倍（水平方向６４０×垂直方向４８０の解像度）に変倍して展開し、表示部２０は、ＯＤＤ／ＥＶＥＮフィールドを時分割で重ね書きして画像を表示するが、ビデオ信号出力部１６は、画像データをフレームメモリ１５の第２ラインから出力する。
【００７３】
この場合、表示部２０には、ＣＣＤ１１の隣接した２ライン分の平均をとるフィルタリング処理をおこなったのと同様の状態で画像が表示されるため、図６に示した場合と比較して、垂直方向の解像度が半減することとなる。自然画像をモニタリング時に表示する場合には、解像度が高いとライン単位の段差が目立ったりするため、解像度をあえて落として表示することが要求されるが、上記のように選択することにより、自然画像については解像度を低くして滑らかな画像を表示させることができる。
【００７４】
なお、解像度を変化させるために、ＯＮ／ＯＦＦ制御が可能なフィルタリング処理部を追加したのでは、処理回路の追加にともなうコストアップ、消費電力アップなどの新たな問題点を生じさせてしまうが、上記のようにビデオ信号に変換して出力する際にフレームメモリの第１ラインまたは第２ラインのいずれから順次出力するかを選択することにより、解像度を簡単に変化させることができる。
【００７５】
一方、グラフィック画像を表示する場合には、高い解像度で表示することが要求される。すなわち、図２に示すように、ラインがずれてしまって適切なペアでなくなったのでは、解像度の高い明確な画像を表示させることができないため、図６に示したように、必ず元のペアが重ね書きされることが必要である。このような場合に、上記のようにビデオ信号に変換して出力する際にフレームメモリの第１ラインまたは第２ラインのいずれから順次出力するかを選択することにより、常に適切な重ね書きをおこなって、明確な画像を表示させることができる。
【００７６】
また、ビデオ信号出力部１６は、フレームメモリ１５に展開された画像データのライン本数がトリーミングなどの要因で奇数本である場合には、偶数本になるよう画像データの追加または削除をおこなう。具体的には、画像データの最上端または最下端に、画像データの第１ラインまたは最終ラインのデータを追加して出力したり、画像データの第１ラインまたは最終ラインのデータを削除して出力する。
【００７７】
この追加または削除によって、ＯＤＤ／ＥＶＥＮフィールドでペアにならないラインのデータが、黒、青、白などのパック色と重ね書きされて表示されることを回避して、自然画像が本来の画像とは異なる色によって表示されるといった画質の劣化を防ぐことができる。
【００７８】
なお、本実施の形態１または２で説明したビデオ信号出力方法は、あらかじめ用意されたプログラムをパーソナル・コンピューターやワークステーションなどのコンピュータで実行することによって実現することができる。このプログラムは、ハードディスク、フロッピーディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、上記記録媒体を介して、インターネットなどのネットワークを介して配布することができる。
【００７９】
【発明の効果】
以上説明したように、請求項１の発明によれば、表示画像の画質を改善することが可能なビデオ信号出力装置が得られ、特に、ＰＡＬ方式のビデオ信号をＮＴＳＣ版の表示部に画像を表示させる場合でも、画質の劣化を少なくして表示させることが可能なビデオ信号出力装置が得られるという効果を奏する。
【００８０】
また、請求項２の発明によれば、前記フレームメモリは、水平方向６４０×垂直方向４８０の画素数を有し、前記変倍手段は、前記画像データをＮＴＳＣ方式のビデオ信号に変換する際は、水平方向９／８倍の変倍処理をおこない、前記画像データをＰＡＬ方式のビデオ信号に変換する際は、水平方向９／８倍および垂直方向６／５倍の変倍処理をおこなうこととしたので、「ＣＣＩＲ−ＲＥＣ６０１」のビデオ信号規格に準拠しつつ、表示画像の画質を改善することが可能なビデオ信号出力装置が得られるという効果を奏する。
【００８３】
また、請求項３の発明によれば、前記制御手段は、前記画像データの内容が自然画像である場合には、該画像データに対する変倍処理を実行するよう制御し、前記画像データの内容がグラフィック画像である場合には、該画像データに対する変倍処理を実行しないよう制御することとしたので、自然画像については変形を防いで違和感なく表示させ、グラフィック画像についてはボケを防いで表示させることが可能なビデオ信号出力装置が得られるという効果を奏する。
【００８４】
また、請求項４の発明によれば、前記制御手段は、前記表示部が自然画像の上にグラフィック画像を重ねて表示する場合には、前記自然画像の画像データに対する変倍処理を実行するよう制御するとともに、前記グラフィック画像の画像データに対する変倍処理を実行しないよう制御することとしたので、自然画像およびグラフィック画像を違和感なくボケを防いで同時に表示させることが可能なビデオ信号出力装置が得られるという効果を奏する。
【００８５】
また、請求項５の発明によれば、前記制御手段は、前記フレームメモリに展開された画像データの画素数が前記表示部の表示領域の画素数と等しい場合には、該画像データに対する前記変倍処理を実行しないよう制御することとしたので、画像の変形を防ぎつつ素早い表示速度で表示させることが可能なビデオ信号出力装置が得られるという効果を奏する。
【００８６】
また、請求項６の発明によれば、記憶手段は、画像データの画素数が前記表示部の表示領域の画素数と等しい画像データを記憶し、該記憶した画像データを前記フレームメモリに展開することとしたので、たとえば、サムネイル画像などを変倍した状態で記憶して、画像の変形を防ぎつつ素早い表示速度で表示させることが可能なビデオ信号出力装置が得られるという効果を奏する。
【００８７】
また、請求項７の発明によれば、入力手段は、画像データの画素数が前記表示部の表示領域の画素数と等しくなるように画像データを入力し、該入力した画像データを前記フレームメモリに展開することとしたので、モニタリングの際においても、画像の変形を防ぎつつ素早い表示速度で表示させることが可能なビデオ信号出力装置が得られるという効果を奏する。
【００８８】
また、請求項８の発明によれば、選択手段は、前記変倍手段による変倍処理を実行するか否かを選択し、前記制御手段は、前記選択手段によって変倍処理を実行しないことが選択された場合には、前記画像データをＰＡＬ方式のビデオ信号に変換するに際して水平方向９／８倍および垂直方向６／５倍の変倍処理を実行しないよう制御することとしたので、フレームメモリに展開された画像データを１００％表示させることが可能なビデオ信号出力装置が得られるという効果を奏する。
【００９２】
また、請求項９の発明によれば、表示画像の画質を改善することが可能なビデオ信号出力装置が得られ、特に、ＰＡＬ方式のビデオ信号をＮＴＳＣ版の表示部に画像を表示させる場合でも、画質の劣化を少なくして表示させることが可能なビデオ信号出力方法が得られるという効果を奏する。
【００９３】
また、請求項１０の発明によれば、前記フレームメモリは、水平方向６４０×垂直方向４８０の画素数を有し、前記変倍工程は、前記画像データをＮＴＳＣ方式のビデオ信号に変換する際は、水平方向９／８倍の変倍処理をおこない、前記画像データをＰＡＬ方式のビデオ信号に変換する際は、水平方向９／８倍および垂直方向６／５倍の変倍処理をおこなうこととしたので、「ＣＣＩＲ−ＲＥＣ６０１」のビデオ信号規格に準拠しつつ、表示画像の画質を改善することが可能なビデオ信号出力方法が得られるという効果を奏する。
【００９６】
また、請求項１１の発明によれば、前記制御工程は、前記画像データの内容が自然画像である場合には、該画像データに対する変倍処理を実行するよう制御し、前記画像データの内容がグラフィック画像である場合には、該画像データに対する変倍処理を実行しないよう制御することとしたので、自然画像については変形を防いで違和感なく表示させ、グラフィック画像についてはボケを防いで表示させることが可能なビデオ信号出力方法が得られるという効果を奏する。
【００９７】
また、請求項１２の発明によれば、前記制御工程は、前記表示部が自然画像の上にグラフィック画像を重ねて表示する場合には、前記自然画像の画像データに対する変倍処理を実行するよう制御するとともに、前記グラフィック画像の画像データに対する変倍処理を実行しないよう制御することとしたので、自然画像およびグラフィック画像を違和感なくボケを防いで同時に表示させることが可能なビデオ信号出力方法が得られるという効果を奏する。
【００９８】
また、請求項１３の発明によれば、前記制御工程は、前記フレームメモリに展開された画像データの画素数が前記表示部の表示領域の画素数と等しい場合には、該画像データに対する前記変倍処理を実行しないよう制御することとしたので、画像の変形を防ぎつつ素早い表示速度で表示させることが可能なビデオ信号出力方法が得られるという効果を奏する。
【００９９】
また、請求項１４の発明によれば、記憶工程は、画像データの画素数が前記表示部の表示領域の画素数と等しい画像データを記憶し、該記憶した画像データを前記フレームメモリに展開することとしたので、たとえば、サムネイル画像などを変倍した状態で記憶して、画像の変形を防ぎつつ素早い表示速度で表示させることが可能なビデオ信号出力方法が得られるという効果を奏する。
【０１００】
また、請求項１５の発明によれば、入力工程は、画像データの画素数が前記表示部の表示領域の画素数と等しくなるように画像データを入力し、該入力した画像データを前記フレームメモリに展開することとしたので、モニタリングの際においても、画像の変形を防ぎつつ素早い表示速度で表示させることが可能なビデオ信号出力方法が得られるという効果を奏する。
【０１０１】
また、請求項１６の発明によれば、選択工程は、前記変倍工程による変倍処理を実行するか否かを選択し、前記制御工程は、前記選択工程によって変倍処理を実行しないことが選択された場合には、前記画像データをＰＡＬ方式のビデオ信号に変換するに際して水平方向９／８倍および垂直方向６／５倍の変倍処理を実行しないよう制御することとしたので、フレームメモリに展開された画像データを１００％表示させることが可能なビデオ信号出力方法が得られるという効果を奏する。
【０１０５】
また、請求項１７の発明によれば、請求項９〜１６のいずれか一つに記載された方法をコンピュータに実行させるプログラムを記録したことで、そのプログラムを機械読み取り可能となり、これによって、請求項９〜１６のいずれか一つの動作をコンピュータによって実現することが可能な記録媒体が得られるという効果を奏する。
【図面の簡単な説明】
【図１】本実施の形態１に係るデジタルカメラの構成を示すブロック図である。
【図２】第２ラインから出力する場合において時分割で重ね書きして表示する際のラインの概念を示す図である。
【図３】ＲＥＣ６０１に準拠したビデオ信号出力装置を用いたデジタルカメラの構成を示すブロック図である。
【図４】ＮＴＳＣ方式およびＰＡＬ方式の規格を説明するための図である。
【図５】ＮＴＳＣ方式におけるビデオ信号タイミングの概念を示す図である。
【図６】ＰＡＬ方式におけるビデオ信号タイミングの概念を示す図である。
【図７】時分割で重ね書きして表示する際のラインの概念を示す図である。
【符号の説明】
１０  デジタルカメラ
１１  ＣＣＤ
１２  通信部
１３  画像データ記憶部
１４  画像処理部
１５  フレームメモリ
１６  ビデオ信号出力部
１７  変倍処理部
１８  Ｉ／Ｆ部
１９  表示制御部
２０  表示部
２１  操作部
２２  制御部
【図１】
0004928676.tif 000002
【図２】
0004928676.tif 000003
【図３】
0004928676.tif 000004
【図４】
0004928676.tif 000005
【図５】
0004928676.tif 000006
【図６】
0004928676.tif 000007
【図７】
0004928676.tif 000008